【手続補正書】
【提出日】平成27年1月30日(2015.1.30)
【手続補正１】
【補正対象書類名】特許請求の範囲
【補正対象項目名】請求項１
【補正方法】変更
【補正の内容】
【請求項１】
遊技盤の遊技領域へ遊技球を発射させる発射装置と、
前記発射装置による遊技球の発射を調節可能とするとともに、遊技者が操作可能な発射操作手段と、
抽選契機手段への遊技球の入球を検知する入球検知手段と、
前記入球検知手段による遊技球の検知を契機に、電動手段を有する電動開閉手段の開閉状態を閉鎖状態から開放状態へと変遷させるか否かの開放抽選を行う開放抽選手段と、
前記開放抽選の抽選結果が肯定の場合、前記電動開閉手段の開閉状態を閉鎖状態から開放状態へと変遷させるために前記電動手段を制御する動作制御手段と、
前記電動開閉手段への遊技球の入球により当該遊技球の入球が可能となる第１の作動契機手段と、
前記電動開閉手段への遊技球の入球により当該遊技球の入球が可能となる第２の作動契機手段と、
前記電動開閉手段へ入球した遊技球を、少なくとも前記第１の作動契機手段又は前記第２の作動契機手段に振り分け可能な振分手段と、
前記振分手段による遊技球の振分態様を制御する振分制御手段と、
前記第１の作動契機手段への遊技球の入球に伴い開放する非電動式の第１の開閉手段と、
前記第２の作動契機手段への遊技球の入球に伴い開放する非電動式の第２の開閉手段と、
前記第１の開閉手段への遊技球の入球を契機として、第１の導出手段における第１の導出演出の実行を制御する第１の導出演出制御手段と、
前記第２の開閉手段への遊技球の入球を契機として、第２の導出手段における第２の導出演出の実行を制御する第２の導出演出制御手段と、
前記第１の導出演出又は第２の導出演出にて特定の導出結果が導出された後、遊技者にとって有利な状態を生起させる有利状態生起手段と、を備え、
前記第１の開閉手段と前記第２の開閉手段は、前記遊技領域において、前記発射操作手段の操作態様により前記第１の開閉手段と前記第２の開閉手段のうち何れの開閉手段へ入球させるために遊技球を発射させるかを遊技者が選択可能に配置され、
前記振分制御手段は、前記振分手段の振分態様を、発射された遊技球によって成立する条件に応じて、前記第１の開閉手段を開放させるように前記電動開閉手段へ入球した遊技球を高確率で前記第１の作動契機手段へと振り分ける第１振分態様、又は前記第２の開閉手段を開放させるように前記電動開閉手段へ入球した遊技球を高確率で前記第２の作動契機手段へと振り分ける第２振分態様に制御することを特徴とする遊技機。
【手続補正２】
【補正対象書類名】特許請求の範囲
【補正対象項目名】請求項２
【補正方法】変更
【補正の内容】
【請求項２】
前記振分手段の振分態様には、前記電動開閉手段へ入球した遊技球を前記第１の作動契機手段と前記第２の作動契機手段へ均等に振り分ける第３振分態様をさらに含み、
前記振分制御手段は、前記振分手段の振分態様を、前記第１振分態様又は前記第２振分態様に制御するための前記条件が成立するまで前記第３振分態様に制御する請求項１に記載の遊技機。
【手続補正３】
【補正対象書類名】特許請求の範囲
【補正対象項目名】請求項３
【補正方法】変更
【補正の内容】
【請求項３】
前記第１振分態様に制御する条件は、前記第１の導出演出にて前記特定の導出結果が導出されることであり、
前記第２振分態様に制御する条件は、前記第２の導出演出にて前記特定の導出結果が導出されることである請求項２に記載の遊技機。
【手続補正４】
【補正対象書類名】特許請求の範囲
【補正対象項目名】請求項４
【補正方法】変更
【補正の内容】
【請求項４】
前記抽選契機手段には、第１の抽選契機手段と第２の抽選契機手段を含み、
前記入球検知手段には、前記第１の抽選契機手段への遊技球の入球を検知する第１の入球検知手段と前記第２の抽選契機手段への遊技球の入球を検知する第２の入球検知手段を含み、
前記第１の抽選契機手段は、前記遊技領域において、前記第１の開閉手段へ入球する可能性のある遊技球が流下し得る第１の流下領域に配設されており、
前記第２の抽選契機手段は、前記遊技領域において、前記第２の開閉手段へ入球する可能性のある遊技球が流下し得る第２の流下領域に配設されており、
前記第１振分態様に制御する条件は、前記第１の入球検知手段によって遊技球が入球検知されることであり、
前記第２振分態様に制御する条件は、前記第２の入球検知手段によって遊技球が入球検知されることである請求項１に記載の遊技機。
【手続補正５】
【補正対象書類名】明細書
【補正対象項目名】０００６
【補正方法】変更
【補正の内容】
【０００６】
上記課題を解決する遊技機は、遊技盤の遊技領域へ遊技球を発射させる発射装置と、前記発射装置による遊技球の発射を調節可能とするとともに、遊技者が操作可能な発射操作手段と、抽選契機手段への遊技球の入球を検知する入球検知手段と、前記入球検知手段による遊技球の検知を契機に、電動手段を有する電動開閉手段の開閉状態を閉鎖状態から開放状態へと変遷させるか否かの開放抽選を行う開放抽選手段と、前記開放抽選の抽選結果が肯定の場合、前記電動開閉手段の開閉状態を閉鎖状態から開放状態へと変遷させるために前記電動手段を制御する動作制御手段と、前記電動開閉手段への遊技球の入球により当該遊技球の入球が可能となる第１の作動契機手段と、前記電動開閉手段への遊技球の入球により当該遊技球の入球が可能となる第２の作動契機手段と、前記電動開閉手段へ入球した遊技球を、少なくとも前記第１の作動契機手段又は前記第２の作動契機手段に振り分け可能な振分手段と、前記振分手段による遊技球の振分態様を制御する振分制御手段と、前記第１の作動契機手段への遊技球の入球に伴い開放する非電動式の第１の開閉手段と、前記第２の作動契機手段への遊技球の入球に伴い開放する非電動式の第２の開閉手段と、前記第１の開閉手段への遊技球の入球を契機として、第１の導出手段における第１の導出演出の実行を制御する第１の導出演出制御手段と、前記第２の開閉手段への遊技球の入球を契機として、第２の導出手段における第２の導出演出の実行を制御する第２の導出演出制御手段と、前記第１の導出演出又は第２の導出演出にて特定の導出結果が導出された後、遊技者にとって有利な状態を生起させる有利状態生起手段と、を備え、前記第１の開閉手段と前記第２の開閉手段は、前記遊技領域において、前記発射操作手段の操作態様により前記第１の開閉手段と前記第２の開閉手段のうち何れの開閉手段へ入球させるために遊技球を発射させるかを遊技者が選択可能に配置され、前記振分制御手段は、前記振分手段の振分態様を、発射された遊技球によって成立する条件に応じて、前記第１の開閉手段を開放させるように前記電動開閉手段へ入球した遊技球を高確率で前記第１の作動契機手段へと振り分ける第１振分態様、又は前記第２の開閉手段を開放させるように前記電動開閉手段へ入球した遊技球を高確率で前記第２の作動契機手段へと振り分ける第２振分態様に制御することを特徴とする。
【手続補正６】
【補正対象書類名】明細書
【補正対象項目名】０００７
【補正方法】変更
【補正の内容】
【０００７】
上記遊技機について、前記振分手段の振分態様には、前記電動開閉手段へ入球した遊技球を前記第１の作動契機手段と前記第２の作動契機手段へ均等に振り分ける第３振分態様をさらに含み、前記振分制御手段は、前記振分手段の振分態様を、前記第１振分態様又は前記第２振分態様に制御するための前記条件が成立するまで前記第３振分態様に制御することが好ましい。
【手続補正７】
【補正対象書類名】明細書
【補正対象項目名】０００８
【補正方法】変更
【補正の内容】
【０００８】
上記遊技機について、前記第１振分態様に制御する条件は、前記第１の導出演出にて前記特定の導出結果が導出されることであり、前記第２振分態様に制御する条件は、前記第２の導出演出にて前記特定の導出結果が導出されることであると良い。
【手続補正８】
【補正対象書類名】明細書
【補正対象項目名】０００９
【補正方法】変更
【補正の内容】
【０００９】
上記遊技機について、前記抽選契機手段には、第１の抽選契機手段と第２の抽選契機手段を含み、前記入球検知手段には、前記第１の抽選契機手段への遊技球の入球を検知する第１の入球検知手段と前記第２の抽選契機手段への遊技球の入球を検知する第２の入球検知手段を含み、前記第１の抽選契機手段は、前記遊技領域において、前記第１の開閉手段へ入球する可能性のある遊技球が流下し得る第１の流下領域に配設されており、前記第２の抽選契機手段は、前記遊技領域において、前記第２の開閉手段へ入球する可能性のある遊技球が流下し得る第２の流下領域に配設されており、前記第１振分態様に制御する条件は、前記第１の入球検知手段によって遊技球が入球検知されることであり、前記第２振分態様に制御する条件は、前記第２の入球検知手段によって遊技球が入球検知されることであると良い。